(57)【要約】【課題】レンズ装着時の削れを抑制しつつ軽量化することを可能にしたカメラマウントを有する撮像装置を提供すること。【解決手段】撮影レンズを着脱可能な撮像装置（１００）において、前記撮像装置（１００）はバヨネット爪部（１１５）を有する主に樹脂により形成されたカメラマウント（１１０）を備え、前記カメラマウント（１１０）のバヨネット爪部（１１５）のうち、前記撮影レンズ装着時に該撮影レンズのレンズマウント（２００）のレンズ側バヨネット爪部（２０１）が対向し始める爪端部（１１６）は主体となる樹脂とは異種の材料で構成されることを特徴とする。【選択図】図１
2019179050.tif 000002
【特許請求の範囲】
【請求項１】
撮影レンズを着脱可能な撮像装置（１００）において、
前記撮像装置（１００）はバヨネット爪部（１１５）を有する主に樹脂により形成されたカメラマウント（１１０）を備え、
前記カメラマウント（１１０）のバヨネット爪部（１１５）のうち、前記撮影レンズ装着時に該撮影レンズのレンズマウント（２００）のレンズ側バヨネット爪部（２０１）が対向し始める爪端部（１１６）は主体となる樹脂とは異種の材料で構成されることを特徴とする撮像装置。
【請求項２】
前記異種の材料は金属であることを特徴とする請求項１に記載の撮像装置。
【請求項３】
前記異種の材料はセラミックであることを特徴とする請求項１に記載の撮像装置。
【請求項４】
前記異種の材料は耐摩耗性の高い樹脂であることを特徴とする請求項１に記載の撮像装置。
【請求項５】
前記爪端部は前記撮影レンズ装着中には該撮影レンズのバヨネット爪部と対向しないことを特徴とする請求項１に記載の撮像装置。
【発明の詳細な説明】
【技術分野】
【０００１】
本発明は、撮像装置に関し、特にマウントに関する。
【背景技術】
【０００２】
従来撮影レンズが交換可能なレンズ交換式カメラのレンズ着脱機構として、バヨネット方式のマウントが提案されている。以下、カメラのマウントをカメラマウント、レンズのマウントをレンズマウントとする。カメラマウントの材質は強度の観点から金属が採用されることが多いが、重いという課題がある。
【０００３】
一方、前記重いという課題を解決するため、カメラマウントの材質に樹脂材料を採用した場合、強度が不足するという課題がある。強度と重量の課題を互いに補うために、特許文献１には金属と樹脂を一体に成形したマウントが開示されている。
【先行技術文献】
【特許文献】
【０００４】
【特許文献１】特開２０１４−２４０８５８号公報
【発明の概要】
【発明が解決しようとする課題】
【０００５】
しかしながら、上述の特許文献１に開示された従来技術では、レンズマウントと係合する爪部が樹脂材料であるため、レンズ装着時にレンズマウントの係合爪との接触により前記爪部が削れてしまうという課題があった。
【０００６】
そこで、本発明の目的は、レンズ装着時の削れを抑制しつつ軽量化することを可能にしたカメラマウントを有する撮像装置を提供することにある。
【課題を解決するための手段】
【０００７】
上記の目的を達成するために、本発明に係る撮像装置は、
撮影レンズを着脱可能な撮像装置（１００）において、前記撮像装置（１００）はバヨネット爪部（１１５）を有する主に樹脂により形成されたカメラマウント（１１０）を備え、前記カメラマウント（１１０）のバヨネット爪部（１１５）のうち、前記撮影レンズ装着時に該撮影レンズのレンズマウント（２００）のレンズ側バヨネット爪部（２０１）が対向し始める爪端部（１１６）は主体となる樹脂とは異種の材料で構成されることを特徴とする。
【発明の効果】
【０００８】
本発明によれば、レンズ装着時の削れを抑制しつつ軽量化することを可能にしたカメラマウントを有する撮像装置を提供することができる。
【図面の簡単な説明】
【０００９】
【図１】本発明の実施形態にかかわるカメラ（請求項１の撮像装置）の正面図
【図２】マウントに関連する部品の分解斜視図
【図３】撮影レンズを装着するときの様子を表す図
【発明を実施するための形態】
【００１０】
以下に、本発明の好ましい実施の形態を、添付の図面に基づいて詳細に説明する。
【００１１】
図１は、本発明の実施形態にかかわるカメラ（請求項１の撮像装置）の正面図である。
【００１２】
図１において、１００はカメラ本体、１１０はカメラに取り付けられたカメラマウント（請求項１のカメラマウント）である。カメラマウント１１０は後述する一部分を除き樹脂で形成されている。
【００１３】
カメラマウント１１０は複数のカメラマウント取りつけねじ１１１ａ、１１１ｂ、１１１ｃ、１１１ｄ、１１１ｅ、１１１ｆにより、カメラ本体１００に固定されている。
【００１４】
１１２は撮影レンズの後述するレンズマウント２００（請求項１のレンズマウント）と当接する当接面であるマウント面である。
【００１５】
１１３は撮影レンズがカメラ本体１００に装着された時に撮影レンズの回動を阻止し、撮影レンズの着脱を阻止するロックピンである。
【００１６】
１１４はレンズロック解除釦であり、ユーザーはレンズロック解除釦１１４の押下動作によりレンズロックピン１１３をマウント面から退避させ、撮影レンズを所定角度回転させることで撮影レンズの取り外しが可能となる。図１にある座標軸は後述の説明で使用する方向を定義するものであり、特記無き限り図１に記載の矢印の方向をプラス方向として軸を定義する。
【００１７】
図２はマウントに関連する部品の分解斜視図を示している。
【００１８】
２００は撮影レンズのレンズマウントである。レンズマウント２００は撮影レンズをカメラ本体１００に装着する時にＺ方向の位置を規制するための爪部２０１ａ、２０１ｂ、２０１ｃ（請求項１のレンズ側バヨネット爪部）を備えている。
【００１９】
２０２はカメラマウント１１０のマウント面１１２と当接するレンズマウント面である。
【００２０】
２１０はカメラマウント１１０よりも−Ｚ方向に配置されたマウントバネであり、バネ部２１１ａ、２１１ｂ、２１１ｃが撮影レンズの爪部２０１ａ、２０１ｂ、２０１ｃを−Ｚ方向に付勢することによって、撮影レンズのＺ方向の位置を規制している。
【００２１】
また、カメラマウント１１０は撮影レンズ装着時にレンズマウント２００の爪部２０１ａ、２０１ｂ、２０１ｃに対向する位置に爪部１１５ａ、１１５ｂ、１１５ｃ（請求項１のバヨネット爪部）を備えている。撮影レンズにマウントバネ２１０の付勢力よりも強い力が働いた時に撮影レンズがカメラ本体１００から脱落するのを防止する役割を担っている。
【００２２】
図３は撮影レンズを装着するときの様子を表す図である。図３は図２で示した構成部品を−Ｚ側から＋Ｚ側に見た図となっている。
【００２３】
１１６ａ、１１６ｂ、１１６ｃは爪部１１５ａ、１１５ｂ、１１５ｃの一部を構成する爪端部（請求項１の爪端部）であり、金属で形成されている。
【００２４】
図３（Ａ）で示すように、まず撮影レンズはレンズマウント２００の爪部２０１ａ、２０１ｂ、２０１ｃがカメラマウント１１０の爪部１１５ａ、１１５ｂ、１１５ｃを避けた位相状態でレンズマウント面２０２がカメラマウント面１１２と当接するまでカメラ側に挿入される。撮影レンズを前記位置まで挿入すると、図３中θ方向に撮影レンズを所定角度回転させることにより、撮影レンズの装着は完了する（図３（Ｂ））。
【００２５】
図３で示すように、まず、撮影レンズのレンズマウント２００の爪部２０１ａ、２０１ｂ、２０１ｃは爪端部１１６ａ、１１６ｂ、１１６ｃに対向したのち、爪部１１５ａ、１１５ｂ、１１５ｃに対向する。マウントバネ２１０に付勢されるまで撮影レンズはＺ方向の位置が規制されておらず、Ｚ方向の位置は不定となるため、撮影レンズ装着時には爪端部１１６ａ、１１６ｂ、１１６ｃには衝撃力が加わる。しかし、本発明では爪端部１１６ａ、１１６ｂ、１１６ｃが金属であるため、樹脂で構成されたカメラマウントに比べ前記衝撃力による破損の恐れが軽減されている。爪部１１５ａ、１１５ｂ、１１５ｃと爪端部１１６ａ、１１６ｂ、１１６ｃは異種材料であるため、両部分の界面間の強度は大きくない。しかし、図３（Ｂ）に示すように、撮影レンズ装着後のレンズマウント２００の爪部２０１ａ、２０１ｂ、２０１ｃは、爪端部１１６ａ、１１６ｂ、１１６ｃに対向していない。そのため、撮影レンズに＋Ｚ方向の負荷がかかったとしても爪端部１１６ａ、１１６ｂ、１１６ｃが爪部１１５ａ、１１５ｂ、１１５ｃから剥離することは無い。
【００２６】
以上、本発明の好ましい実施形態について説明したが、本発明はこれらの実施形態に限定されず、その要旨の範囲内で種々の変形及び変更が可能である。例えば、爪端部の材料として金属を例に説明したが、セラミックや他の耐摩耗性樹脂であっても構わない。
【００２７】
以上のような構成によれば、レンズ装着時の削れを抑制しつつ軽量化することが可能となる。
【符号の説明】
【００２８】
１００  撮像装置、１１０  カメラマウント、１１５  バヨネット爪部
【図１】
2019179050.tif 000003
【図２】
2019179050.tif 000004
【図３】
2019179050.tif 000005